(57)【要約】      （修正有）【課題】植物の生育を助長するために、その吸水を磁化処理することを効率化する。【解決手段】この帯状磁性体果実育成具１は、幅がおよそ１〜６ｍｍ、厚さがおよそ１ｍｍ〜５ｍｍ程度のもので、その長さは、花梗またはその花梗より根幹側直近位置の茎の直径の２倍ないし４倍程度に裁断したもので、花梗Ｋ又は茎Ｃに１．５〜２回程度巻き付けることによって取り付ける。このように二重などにより巻き付けられた磁性の帯状体は、該帯状体の表面側と裏面側すなわち磁性を異にしている面が重なりあうことになり、従って互いに引き合って容易に離脱しないものになる。この帯状体の製造は着磁性粉末を混入したプラスチック材料を用い、押し出し成形または射出成形により該形状に成形をした後（または成形中）、該帯状の表裏面にＮ−Ｓの磁化処理を施したもので、その磁力は５０〜１０００ガウス程度のものである。【選択図】図２
0003118895.tif 000002
【実用新案登録請求の範囲】
【請求項１】
植物の花梗またはその根幹側直近の茎に巻き付けることにより該花梗または茎に磁界を作用させことを特徴とする帯状磁性体果実育成具。
【請求項２】
植物の花梗またはその基幹側直近の茎に外嵌するように一端が開口したリング状のプラスチック製マグネットであって、その対向する開口端から基部に向かって互いに挿通し合うスリットを形成すると共に、その両スリットが互いの挿通時に対向する面に噛み合い歯型を複数個設けたことを特徴とする磁性体果実育成具。
【請求項３】
植物の花梗またはその上流側直近の茎に巻き付け可能な帯状体になるプラスチック製マグネットであって、該帯状体の片方の平面には該帯状体の長手方向に対し直角方向に多数の係止用溝が刻設すると共に、その帯状体の一端の側部から延伸し直角方向に曲折する鉤形枠体を形成し、且つ、その延伸側枠体の中間部から支持腕を介してＬ字形係止体を一体形成したことを特徴とする帯状の磁性体果実育成具。
【考案の詳細な説明】
【技術分野】
【０００１】
本考案は根、幹、茎から果実に供給される水分をその果実の直前において磁化処理し、これを果実に吸収させることにより、該果実の生育を促進する育成器具に関する。
【背景技術】
【０００２】
従来、植物の根またはその近傍に永久磁石を取り付け、地盤から吸収する水を磁化処理することによって植物の育成を促進する実験が多くなされ、成果の報告が数多く紹介されている。例えば、植物の茎の外周から磁界を作用させて、その根から導管へ吸い上げられた水を磁化処理し、この水を植物組織の末端に行き渡させて植物を育成する方法が開示されている。
【０００３】
【非特許文献１】秋山  明胤  「磁気による植物革命」流出版  １９８７年
【特許文献１】特開平１０−０５６８８３号公報
【考案の開示】
【考案が解決しようとする課題】
【０００４】
植物に対し、人為的に磁界を作用させてその生育を助長することは望ましいことではあるが、例えば長い蔓の先端に結実する西瓜、メロンなど、或いは、巨木になる桃やりんごなどの果実に対してその根元や茎に磁性体を付着させることにより、樹木の導管内吸水を磁化処理するには、相当に強力な磁力が必要になる。また、果実にはその果実の直近の枝葉からの吸水もあり得ることから、それらの根元に磁界を設置する育成方法は必ずしも効率的ではない。
【０００５】
果実が結実の段階に至れば樹木や茎全体の生育よりもむしろ、果実自体の生育を助長することが望ましい。そのためには、果実の直近に磁界を設け、茎中に流れる水分を磁化処理することがより効率的である。
【０００６】
そのためには、それぞれの果実の花梗（かこう：直接花がついている小枝・花の柄）に磁性体を取付けることになるが、必然的にその数も多くなり手間暇を要することになる。したがって、取付けが簡単な磁性体が望まれる。
【課題を解決するための手段】
【０００７】
本願の請求項１記載の発明においては、植物の花梗またはその根幹側直近の茎に巻き付け可能な長さ、すなわち、花梗の円周の１．５倍以上３倍程度の帯状プラスチック製マグネットとすることが望ましく、これによって、花梗に１．５〜２重に巻きつけが可能で、落下の虞のない装着ができることになる。
【０００８】
請求項２に記載の発明は、植物の花梗またはその基幹側直近の茎に外嵌するように一端が開口したリング状のプラスチック製マグネットであって、その対向する開口端から基部に向かって互いに挿通し合うスリットを形成すると共に、その両スリットが互いの挿通時に対向する面に噛み合い歯型を複数個設けたことを手段として取り付けやすくしたものである。
【０００９】
請求項３に記載の発明は、植物の花梗またはその上流側直近の茎に巻き付け可能な帯状体になるプラスチック製マグネットであって、該帯状体の片方の平面には該帯状体の長手方向に対し直角方向に多数の係止用溝を刻設すると共に、その帯状体の一端の側部から延伸し直角方向に曲折する鉤形枠体を形成し、且つ、その延伸側枠体の中間部から支持腕を介してＬ字形係止体を一体形成した帯状とすることによって種々な花梗の直径に対応できるものとした。
【考案の効果】
【００１０】
本発明に係る磁性体果実育成具は、花梗またはその花梗より根幹側直近位置の茎に磁性体を嵌着して該花または果実が磁化処理した水を効率よく吸収することを目的とするもので、必然的に数多くの磁性材料が必要であり、また、花梗の太さに合わせて磁性体の直径を調製することになるが、前記の構成としたことによって、例えばリング状体の開口に形成した歯形状凹凸を互いに係合させてそのリング径を小径にすることにより該花梗に外周に密着し、或いは、花梗に帯状体を巻きつけてその一端にある鉤形枠体の側方から帯状体を挟み込み、前記Ｌ字形係止体を溝部に係合することによって係止するなど簡単な操作で取り付けができるものとした。
【考案を実施するための最良の形態】
【００１１】
実施例について、図面を参照して説明する。図１には果物（西瓜）Ｆを例としてその花梗に帯状の磁性体果実育成具１を巻きつけた状態を示している。この場合、花梗の長さが短くて、該磁性体果実育成具１を巻き付けるための寸法的に余裕がない場合には仮想線で示したように、その花梗の付け根の分岐点より根幹側直近位置の茎Ｓに付設（仮想線）する。
【００１２】
この帯状磁性体果実育成具１は、幅がおよそ１〜６ｍｍ、厚さがおよそ１ｍｍ〜５ｍｍ程度のもので、その長さは、花梗またはその花梗より根幹側直近位置の茎（以下において、花梗又は茎と略称することがある。）の直径の２倍ないし４倍程度に裁断したもので、花梗ｋ又は茎ｃに１．５〜２回程度巻き付けることよって取り付ける。このように二重などにより巻きつけられた磁性の帯状体は、該帯状体の表面側と裏面側すなわち磁性を異にしている面が重なりあうことになり、したがって互いに引き合って容易に離脱しないものになる。この帯状体の製造は着磁性粉末を混入したプラスチック材料を用い、押し出し成形または射出成形により該形状に成形をした後（または成形中）、該帯状の表裏面にＮ−Ｓの磁化処理を施したもので、その磁力は５０〜１０００ガウス程度のものである。なお、本案帯状磁性体果実育成具を構成するプラスチックはポリエチレン、ポリプロピレン、塩化ビニル樹脂、ＡＢＳ樹脂、その他、軟質ないし半硬質の材料であればよく、これに着磁可能な金属粉末が混合される。
【００１３】
図２に示す磁性体果実育成具２は、植物の花梗またはその基幹側直近の茎に外嵌するように一端が開口したリング状のプラスチック製マグネットである。すなわち、それぞれの開口端２ａ，２ｂ部近傍の外周に沿って舌片２ｃ、２ｄが周設されて互いに咬合可能なスリットが構成されており、その一方の前記開口端２ａ近傍の円周部表面側には歯形溝２ｅが，他方側の舌片２ｄにはその内周面に複数の歯形溝２ｆを刻設したものである。この円筒状磁性体果実育成具２の厚さ（図２の紙面に対して直角方向）は２ｍｍ〜１０ｍｍ程度のもので、その製造は着磁性粉末を混入したプラスチック材料を用い、射出成形または圧縮成形の方法により該形状に成形をした後（または成形中）、図２の紙面に対して直角方向にＮ−Ｓの磁化処理を施したものである。その磁力は５０〜１０００ガウス程度、望ましくは１００〜１０００ガウスである。
【００１４】
このように形成した磁性体果実育成具２においては、花梗ｋ又は茎ｃをその開口部２ａ、２ｂ間から円筒内に挿通せしめ、次いで、該磁性体果実育成具２の外径を押圧して互いの歯形溝２ｅ，２ｆの係合を進めることにより密接な嵌合を得る。
【００１５】
図３に示した帯状磁性体果実育成具３は、前記同様にプラスチック製マグネットで、帯状体３ｂの一端にフック３ｈを一体に形成したものである。すなわち、帯状体３ｂの一方の面にはその長手方向に対し直角方向に多数の係止用溝３ｇが凹刻されており、該帯状体３ｂの一方の先端部にはその側面から延伸し直角方向に曲折する鉤形枠体３ｒを形成し、且つ、その延伸側枠体３ｗの中間部から支持腕３ｊを介してＬ字形係止体３ａを一体形成したものである。
【００１６】
図４に示すように、帯状磁性体果実育成具３の一端に形成したフック３ｈは、その係止枠体３ｒとＬ字形係止体３ａの先端との間隙にその開口側から帯状体３ｂを挿通するようにして花梗に巻きつけると、前記のＬ字形係止体３ａの先端が係止用溝３ｇに係合して該帯状体３ｂが緩み方向に回動する。この回動により、該Ｌ字形係止体３ａが支持腕３ｊを軸として回動し、その先端と鉤形枠体３ｒとの間隙を狭めて帯状体を挟着保持することになり、花梗を外嵌する円筒を形成する。この帯状体３ｂの先端側を持って締まり方向に更に引くと鉤形枠体３ｒとＬ字形係止体３ａ先端との間で帯状体３ｂは摺動してその嵌合直径を小径にし、順次、係止用溝３ｇの位置を小径側に進めれば、花梗にフィットしたとりつかが可能になる。そして、係合が緩みは方向には移動することはない。
【００１７】
この磁性体果実育成具３のＬ字形係止体３ａの基端側を押し下げると支持腕３ｊを支点として若干回動し、Ｌ字形係止体３ａ先端と鉤形枠体３ｒとの間に間隙が生じ、該Ｌ字形係止体３ａと係止用溝３ｇとの噛み合いが解けて帯状体は鉤形枠体３ｒの側方に引き抜くことが可能になり、容易に環状を解くことが可能である。
【産業上の利用可能性】
【００１８】
本案に係る磁性体果実育成具は、磁化処理された水分を果実に効率よく吸収させることによってその生育を助長するもので、花又は果実のつぼみが発生した時点で、各々のつぼみの花梗に取付けることになる。したがって、その取り付けは相当に手間暇のかかるものであるが、磁性体果実育成具の取付構造を簡単にしたことにより、西瓜、瓜類等のつる性植物はもとより、リンゴ、梨、桃などの樹木性果実にも適用される。
【図面の簡単な説明】
【００１９】
【図１】帯状磁性体果実育成具の花梗への適用状況を示した平面図である。
【図２】円筒状磁性体果実育成具の実施例を示した平面図である。
【図３】帯状磁性体果実育成具の実施例を示した平面図である。
【図４】帯状磁性体果実育成具の使用状態を示した側面図である。
【符号の説明】
【００２０】
１  帯状磁性体果実育成具
２  円筒状磁性体果実育成具
３  帯状磁性体果実育成具
【図１】
0003118895.tif 000003
【図２】
0003118895.tif 000004
【図３】
0003118895.tif 000005
【図４】
0003118895.tif 000006